(57)【要約】【課題】通常は完全遮蔽形としてプライバシーの保全を図り、必要に応じて、デスクトップパネルの下部空間を開放することにより、対面する人同士の対話や書類などの授受を行えるとともに、配線カバーを容易に着脱または開閉しうるようにしたデスクトップパネル、およびそれを取り付けた机を提供する。【解決手段】机１の天板２の後部に取り付けられて起立することにより、着座者の視野を遮るようにしたデスクトップパネル５において、パネル状の本体５Ａと、その下端両側部より垂下し、下端部が机１の天板２または天板支持体Ａに取り付けられる左右１対の取付部５Ｂと、両取付部５Ｂを机１に取り付けたときに、本体５Ａと机１における天板２の上面との間に形成される空間Ｓを開閉しうるように、本体５Ａの下端に開閉可能として装着した閉塞板２１とを備えるものとする。【選択図】      図３
2008119116.tif 000002
【特許請求の範囲】
【請求項１】
机の天板の後部に取り付けられ、天板より上方に起立することにより、着座者の視野を遮るようにしたデスクトップパネルであって、
パネル状の本体と、その下端両側部より垂下し、下端部が机の天板または天板支持体に取り付けられる左右１対の取付部と、両取付部を机に取り付けたときに、前記本体と机における天板の上面との間に形成される空間を開閉しうるように、前記本体の下端に開閉可能として装着した閉塞板とを備えることを特徴とするデスクトップパネル。
【請求項２】
閉塞板の上端部を、左右方向を向く軸をもって、本体または取付部に枢着し、閉塞板を、下方を向く閉塞位置と、前後方向を向く開放位置とに、前記軸を中心として回動可能とした請求項１記載のデスクトップパネル。
【請求項３】
閉塞板を、閉塞位置と開放位置とにおいて弾圧保持する保持手段を、本体または取付部に設けた請求項１または２記載のデスクトップパネル。
【請求項４】
保持手段が、軸から離れた部分における閉塞板と、本体または取付部との対向面のいずれか一方に設けた弾性係合突起と、前記対向面の他方に設けられ、閉塞板が閉塞位置と開放位置とのいずれかに位置したとき、前記弾性係合突起が嵌合するようにした凹部とを備えるものとした請求項３記載のデスクトップパネル。
【請求項５】
請求項１〜４のいずれかに記載のデスクトップパネルを、天板の後部に取り付け、かつ前記天板の後部における閉塞板の下方に、配線挿通用の開口を設け、この開口を、前記閉塞板を開放位置としたときに、着脱または開閉可能とした配線カバーにより覆ったことを特徴とするデスクトップパネル付き机。
【請求項６】
天板支持体に、前後１対の天板を、その間に配線挿通用の開口が形成されるようにして取り付けるとともに、前記開口の上方に、閉塞板が位置するようにして、請求項１〜４のいずれかに記載のデスクトップパネルを取り付け、前記開口を、前記閉塞板を開放位置としたときに、着脱または開閉可能とした配線カバーにより覆ったことを特徴とするデスクトップパネル付き机。
【発明の詳細な説明】
【技術分野】
【０００１】
本発明は、机の天板の後部上面に取り付けられ、着座者の視野を遮るデスクトップパネル、およびそれを取り付けた机に関する。
【背景技術】
【０００２】
この種のデスクトップパネルの従来技術として、下記特許文献１に代表されるように、完全遮蔽形のものと、上部のみを遮蔽部により遮蔽し、下部は遮蔽部を支持する支柱だけとすることにより、下部空間を開放したものとがある。
【０００３】
また、特許文献２に示すように、デスクトップパネルの下方に配線収容空間を形成したものもある。
【特許文献１】特開２００４−３１３４７１号公報
【特許文献２】特開２００６−６７７１号公報
【発明の開示】
【発明が解決しようとする課題】
【０００４】
特許文献１に示す技術は、完全遮蔽形であるため、机またはテーブルに対面して座る人同士のプライバシーを確保できる反面、打ち合せをしたり、書類の授受を行うには、いちいち相手側の机、テーブルに廻り込んで行わなければならない。
【０００５】
これに対し、下部開放形では、上記とは逆の利点がある反面、特に下部の隙間から常時相手側を見通せることにより、プライバシーの面での欠点が生ずる。
【０００６】
さらに特許文献２に示すものでは、デスクトップパネルより前方において、天板の一部を開口して配線のための収容空間を形成するため、執務に必要な天板面積がそれだけ減ずる欠点がある。
【０００７】
本発明は、従来の技術が有する上記のような問題に鑑み、通常は完全遮蔽形としてプライバシーの保全を図り、必要に応じて、デスクトップパネルの下部空間を開放することにより、対面する人同士の対話や書類などの授受を行えるとともに、配線カバーを容易に着脱または開閉しうるようにしたデスクトップパネル、およびそれを取り付けた机を提供することを目的としている。
【０００８】
また本発明は、執務に必要な天板面積を減ずることなく、デスクトップパネルの下方に配線収容空間を形成できるようにすることを他の目的としている。
【課題を解決するための手段】
【０００９】
本発明によると、上記課題は次のようにして解決される。
（１）机の天板の後部に取り付けられ、天板より上方に起立することにより、着座者の視野を遮るようにしたデスクトップパネルにおいて、パネル状の本体と、その下端両側部より垂下し、下端部が机の天板または天板支持体に取り付けられる左右１対の取付部と、両取付部を机に取り付けたときに、前記本体と机における天板の上面との間に形成される空間を開閉しうるように、前記本体の下端に開閉可能として装着した閉塞板とを備えるものとする。
【００１０】
（２）上記(１)項において、閉塞板の上端部を、左右方向を向く軸をもって、本体または取付部に枢着し、閉塞板を、下方を向く閉塞位置と、前後方向を向く開放位置とに、前記軸を中心として回動可能とする。
【００１１】
（３）上記(１)または(２)項において、閉塞板を、閉塞位置と開放位置とにおいて弾圧保持する保持手段を、本体または取付部に設ける。
【００１２】
（４）上記(３)項において、保持手段が、軸から離れた部分における閉塞板と、本体または取付部との対向面のいずれか一方に設けた弾性係合突起と、前記対向面の他方に設けられ、閉塞板が閉塞位置と開放位置とのいずれかに位置したとき、前記弾性係合突起が嵌合するようにした凹部とを備えるものとする。
【００１３】
（５）上記(１)〜(４)項のいずれかに記載のデスクトップパネルを、天板の後部に取り付け、かつ前記天板の後部における閉塞板の下方に、配線挿通用の開口を設け、この開口を、前記閉塞板を開放位置としたときに、着脱または開閉可能とした配線カバーにより覆う。
【００１４】
（６）天板支持体に、前後１対の天板を、その間に配線挿通用の開口が形成されるようにして取り付けるとともに、前記開口の上方に、閉塞板が位置するようにして、上記(１)〜(４)項のいずれかに記載のデスクトップパネルを取り付け、前記開口を、前記閉塞板を開放位置としたときに、着脱または開閉可能とした配線カバーにより覆う。
【発明の効果】
【００１５】
本発明によると、次のような効果を奏することができる。
請求項１記載の発明によると、閉塞板を閉じておくことにより、パネル状の本体より下方の空間が閉塞され、着座者の視野が完全に遮蔽され、プライバシーが保たれるが、必要に応じて、閉塞板を開くことにより、上記空間を開放し、着座者の視野の一部を回復することができ、デスクトップパネルを挟んで、その前後に天板を配設した対面型の連結机の場合には、対面する人同士のコミュニケーションを図ったり、開いた空間を利用して、書類の授受を行ったりすることができる。
【００１６】
請求項２記載の発明によると、閉塞板は、常時は、自重で閉塞位置に維持され、開きたいときだけ、開放位置まで、手で開けばよいので、構造が簡単で、かつ操作が容易である。
【００１７】
請求項３記載の発明によると、閉塞板は、閉塞位置と開放位置とにおいて、保持手段により、弾圧保持されるので、閉塞板を、手で開放位置に保持しておく必要がなく、また、閉塞位置のとき、閉塞板が妄りに揺動することがない。
【００１８】
請求項４記載の発明によると、保持手段の構造を簡素化することができるとともに、目立たなくして、体裁をよくすることができる。
【００１９】
請求項５記載の発明によると、閉塞板を開放位置とすることにより、配線カバーを容易に着脱または開閉することができるとともに、配線挿通用の開口を、デスクトップパネルの直下に設けることができ、従来のように、デスクトップパネルの前方に設ける必要がないので、天板上の執務スペースを広く確保することができる。また、閉塞板を閉じることにより、着座者の視野を遮蔽し、プライバシーを保つことができる。
【００２０】
請求項６記載の発明によると、請求項４記載の発明の効果に加えて、閉塞板を開くことにより、上記空間を開放し、着座者の視野の一部を回復することができるとともに、対面する人同士のコミュニケーションを図ったり、開いた空間を利用して、書類の授受を行ったりすることができる。
【発明を実施するための最良の形態】
【００２１】
図１〜図３は本発明の第１の実施形態を示す。
図１に示すように、机１は、４枚の天板２を、前後に対向させて左右に２個ずつ連結した平面視田の字状の配置として、左右１対の側板３、３と、それらの間に配設した中間脚部４と、それらを連結する左右方向を向くビーム(図示略)を備える天板支持体Ａにより支持した、いわゆる対面型の連結机としてある。
【００２２】
前後に対向する天板２、２間の境界部には、各天板２に対応させて配置した想像線で示す椅子６の着座者の前方視野を遮るためのデスクトップパネル５が配設されている。
各天板２の下方には、上記椅子６の他に、想像線で示すサイドワゴン７が配設され、天板２の上面には、同じく想像線で示すノート型パソコン８や、そのたの電気機器(図示略)等が配設されている。それらの電源コードや接続ケーブル等の配線の余長分は、デスクトップパネル５の下方において、前後の天板２、２間に形成された配線挿通用の横長の開口９を通って、図３に示す配線ダクト１０に収容されている。
【００２３】
図３に示すように、配線ダクト１０は、側面視上向コ字状をなす長尺物であり、その前後の側縁上部が、前後の天板２、２の対向部分の下面に、それらの下面同士を連結する左右幅が小さい複数の支持板１１の両端部とともに、固定ねじ１２をもって固着されている。
【００２４】
開口９は、着脱可能とした配線カバー１３により、閉塞しうるようになっている。
この配線カバー１３は、水平とした鋼板の前後の縁を下向きにコ字状に折り返して形成したもので、複数の上記支持板１１における前後方向の中央部に載置することにより、開口９の前後の縁に、配線挿通用の間隙１４を残して、開口９の中央部を、天板２の上面と同一面となるように閉塞しうるようになっている。
【００２５】
支持板１１の中央部には、配線カバー１３を中央部に位置決めするための前後１対の上向突片１１ａ、１１ａが、切り起こされて設けられている。
【００２６】
図２および図３に示すように、デスクトップパネル５は、下端に取付ベース１５を設けた左右１対の縦フレーム１６、１６と、両縦フレーム１６、１６の上部同士を連結する上部横フレーム１７と、両縦フレーム１６、１６の下端よりやや上方の部分同士を連結する下部横フレーム１８と、各フレーム１６、１７、１８により形成された矩形枠の内部に組付けられた所定厚さの前後１対の化粧パネル１９、１９と、下部横フレーム１８の下方において、上端部が両縦フレーム１６、１６に左右方向を向く軸２０をもって枢着された閉塞板２１とを備えている。
【００２７】
このうち、下部横フレーム１８の下面より上方の両縦フレーム１６、１６と、上部横フレーム１７と、下部横フレーム１８と、化粧パネル１９、１９とにより、デスクトップパネル５の本体５Ａが形成され、下部横フレーム１８の下面より下方の両縦フレーム１６、１６と、取付ベース１５、１５とにより、本体５Ａの下端両側部より垂下して、下端部が机１の天板２または天板支持体Ａに取り付けられる左右１対の取付部５Ｂが形成されている。
【００２８】
この例では、軸２０は、閉塞板２１の上部を貫通し、閉塞板２１の両側面より外側方に突出した端部が、左右の縦フレーム１６、１６の内面に設けた軸受孔２２に、回転自在に嵌合されたものとしてある。
【００２９】
デスクトップパネル５は、その取付部５Ｂである左右の取付ベース１５、１５を、開口９を通して、配線ダクト１０の底部上面に載置し、ボルト２３とナット２４とにより締着することにより、天板支持体Ａに強固に固着されている。
なお、取付ベース１５、１５を、側板３または中間脚部４等に直接固着したり、天板支持体Ａにおけるその他の部材に固着してもよい。特に、机１を、１個の天板２のみを有する机においては、取付ベース１５、１５を、天板の上面に固着してもよい。
【００３０】
閉塞板２１の上下寸法は、デスクトップパネル５を上記のようにして天板支持体Ａに取り付けたとき、本体５Ａの下端と机１における天板２の上面との間に形成される空間Ｓを閉塞するのに適当な寸法とするのがよい。
【００３１】
上記の構成においては、閉塞板２１は、平常時は、図３に実線で示すように、自重により、真下を向く閉塞位置に位置し、上記空間Ｓをほぼ完全に閉塞している。したがって、椅子６の着座者の前方視野はほぼ完全に塞がれ、各個人のプライバシーが確保される。
【００３２】
この状態から、着座者が、手指等により、閉塞板２１を、前後いずれかに押し、図３に想像線に示すように、前後方向を向く開放位置まで、軸２０を中心として回動させることにより、開口Ｓが開いて、デスクトップパネル５を挟んで対面する人同士が、互いに相手側をその視野に入れることができる。またこの空間Ｓを通して、書類などを相手側に受渡すことができる。
【００３３】
また、閉塞板２１を、開放位置に保持した状態で、図３に想像線に示すように、配線カバー１３を、開口９を塞ぐ位置から容易に取り外すことができる。
開口９から配線カバー１３を取り外すことにより、開口９を大きく開いて、配線の引込や、取外しなどの作業を容易に行うことができる。
【００３４】
図４〜図６は、本発明の第２の実施形態を示す。なお、この実施形態以降の説明においては、前の実施形態と同一の部材には、同一の符号を付し、その説明を省略する。
【００３５】
図４に示すように、下部横フレーム２５の下部には、左右方向を向くあり溝状の嵌合溝２６が形成され、この嵌合溝２６には、図６に示すように、複数の軸支持ブロック２７が、左右方向に適宜の間隔をもって、嵌合されている。各軸支持ブロック２７の下部は、ほぼ半円形断面であって、その外周の下部および両側部には、位置決め用の弾性係合突起２８が突設され、さらにその半円形断面の中心部分には、各軸支持ブロック２７の両側面より突出して、閉塞板２９の回動中心となる軸３０が貫設されている。なお、この軸３０は、軸支持ブロック２７と一体的に形成してもよい。
【００３６】
閉塞板２９は、合成樹脂成形体からなり、その上端における各軸支持ブロック２７と対向する部分を除く部分には、側面視円弧状をなす、弾性変形可能の前後１対の軸把持片２９ａ、２９ａが形成されている。また、閉塞板２９の上端中央には、前後の軸把持片２９ａ、２９ａの弾性撓曲を助長させるとともに、各軸支持ブロック２７の弾性係合突起２８が嵌合するための凹条３１が設けられている。
【００３７】
上記構成において、閉塞板２９は、下部横フレーム２５の下端に、図６(ａ)に示すような配置で装着された複数の軸支持ブロック２７に対して、同図および図５(ａ)に示すような上下方向を向く姿勢で、上方に押し上げ、図５(ｂ)、および図６(ｂ)に示すように、上端の前後の軸把持片２９ａ、２９ａにより、左右に隣接する軸支持ブロック２７より互いに対向するように突出する軸３０の対向端部同士、および最も外側の軸支持ブロック２７の外側面より突出する軸３０の突出端部を把持させるとともに、各軸支持ブロック２７の下端の弾性係合突起２８に、凹条３１を嵌合させる。
【００３８】
このとき、閉塞板２９は、各軸支持ブロック２７の下端の弾性係合突起２８と凹条３１との係合により、下方を向く閉塞位置に安定して保持される。
【００３９】
この状態から、閉塞板２９を、軸３０を中心として、前後いずれかに回動させ、例えば、図５(ｃ)に示すように、後方を向く開放位置まで回動させると、凹条３１が、各軸支持ブロック２７の後面の弾性係合突起２８に弾性係合して、閉塞板２９は、その開放位置において安定して保持される。
この状態で、開口９への配線の引込や、取外しなどの作業を容易に行うことができる。
【００４０】
この実施形態においては、凹条３１と、３個の弾性係合突起２８とによって形成された保持手段により、閉塞板２９は、閉塞位置と開放位置とにおいて、安定して保持されので、閉塞板２９を、手で開放位置に保持しておく必要がなく、また、閉塞位置のとき、閉塞板２９が妄りに揺動することがない。
【００４１】
図７および図８は、本発明の第３の実施形態を示す。
この例では、下部横フレーム３２の下端両側部には、１対の軸支持ブロック３３が固定され、この各軸支持ブロック３３には、閉塞板３４の回動中心となる軸３５の両端部が圧嵌されている。軸３５の上部には、平削面３５ａが形成され、これに応じて、軸支持ブロック３１に形成された嵌合孔３６も、それと補形をなす断面形状としてある。
【００４２】
閉塞板３４は、第２の実施形態におけるのと同様の、弾性変形可能の前後１対の軸把持片３４ａ、３４ａを備えている。この軸把持片３４ａ、３４ａは、その相互の間隔を、軸３５の外径より小とすることにより、縮径習性を備えるものとしてあり、図８(ａ)に示すように、閉塞板３４が下方を向く閉塞位置に位置しているときは、軸把持片３４ａ、３４ａが最も拡開されるとともに、それらの両端部が軸３５の平削面３５ａの両側縁を把持することにより、閉塞位置に安定して保持され、また、図８(ｂ)を経て、図８(ｃ)に示すように、閉塞板３４が前後方向を向く開放位置まで回動させられたときは、一方の軸把持片３４ａが、軸３５の平削部分に落ち込んで縮径した状態で、軸３５を把持するので、この開放位置においても、閉塞板３４は、安定して保持される。
【００４３】
したがって、第３の実施形態においても、第２の実施形態におけるのとほぼ同様の作用および効果をもたらすことができる。
【００４４】
図９は、本発明の第４実施形態を示す。図９(ａ)において、下部横フレーム３７の下部に形成されたあり溝状の嵌合溝３８には、軸支持ブロック３９が嵌合され、この軸支持ブロック３９には、左右方向を向く断面正四角形状の軸４０が突設されている。
これに対して、閉塞板４１の上端部には、軸４０の断面形状とほぼ補形をなす断面形状の軸孔４２が形成されるとともに、上端中央には、軸孔４２に達するすり割り４３が設けられている。
【００４５】
この構成においては、図９(ａ)に示すように、閉塞板４１が下方を向く閉塞位置に位置しているときは、閉塞板４１は、その軸孔４２の内面が軸４０の外周面に密接するようにして、軸４０を抱持し、閉塞位置に安定して保持される。
【００４６】
この状態から、閉塞板４１の下部を後方に押動して、閉塞板４１を、軸４０を中心として、後方に回動させると、まず、図９(ｂ)に示すように、閉塞位置から４５°の回動角度で、閉塞板４１の上端部における軸孔４２およびその外周部分が、最も拡開するように弾性変形させられ、この角度位置を変極点として、この角度を越えた時点から、軸孔４２およびその外周部分の弾性変形が漸次収束し、図９(ｃ)に示すように、閉塞板４１が後方を向く開放位置に達したときは、閉塞位置に位置しているときと同様に、閉塞板４１は、その軸孔４２の内面が軸４０の外周面に密接し、その開放位置に安定して保持される。
【００４７】
したがって、第４の実施形態においても、第２および第３の実施形態におけるのとほぼ同様の作用および効果をもたらすことができるとともに、閉塞板４１を、閉塞位置から開放位置までの回動範囲の中間位置において、その回動付勢方向が反転するように、付勢することができ、閉塞板４１の動きに、節度感を持たせることができる。
【００４８】
なお、軸４０を閉塞板４１に設け、かつ軸孔４２を、軸支持ブロック３９に設けて実施することもできる。
また、軸４０の外形と、軸孔４２の内形とを、五角形またはその他の多角形として、その角部に対応する位置で、閉塞板４１を安定して保持しうるようにしてもよい。
【図面の簡単な説明】
【００４９】
【図１】本発明の第１の実施形態を備えるデスクトップパネル付き机の全体を示す斜視図である。
【図２】デスクトップパネルの中間部を省略して拡大して示す分解斜視図である。
【図３】図１の要部拡大縦断側面図である。
【図４】本発明の第２の実施形態を備えるデスクトップパネル付き机の要部拡大縦断側面図である。
【図５】(ａ)〜(ｃ)は、図４のV部を拡大して示す動作説明用断面図である。
【図６】(ａ)および(ｂ)は、同じく閉塞板の組立手順を示す斜視図である。
【図７】本発明の第３の実施形態における要部の分解斜視図である。
【図８】(ａ)〜(ｃ)は、同じく動作説明図である。
【図９】(ａ)〜(ｃ)は、本発明の第４の実施形態における要部の動作説明図である。
【符号の説明】
【００５０】
Ａ  天板支持体
Ｓ  空間
１  机
２  天板
３  側板
４  中間脚部
５  デスクトップパネル
５Ａ本体
５Ｂ取付部
６  椅子
７  サイドワゴン
８  ノート型パソコン
９  開口
１０  配線ダクト
１１  支持板
１１ａ上向突片
１２  固定ねじ
１３  配線カバー
１４  間隙
１５  取付ベース
１６  縦フレーム
１７  上部横フレーム
１８  下部横フレーム
１９  化粧パネル
２０  軸
２１  閉塞板
２２  軸受孔
２３  ボルト
２４  ナット
２５  下部横フレーム
２６  嵌合溝
２７  軸支持ブロック
２８  弾性係合突起
２９  閉塞板
２９ａ軸把持片
３０  軸
３１  凹条
３２  下部横フレーム
３３  軸支持ブロック
３４  閉塞板
３５  軸
３６  嵌合孔
３７  下部横フレーム
３８  嵌合溝
３９  軸支持ブロック
４０  軸
４１  閉塞板
４２  軸孔
４３  すり割り
【図１】
2008119116.tif 000003
【図２】
2008119116.tif 000004
【図３】
2008119116.tif 000005
【図４】
2008119116.tif 000006
【図５】
2008119116.tif 000007
【図６】
2008119116.tif 000008
【図７】
2008119116.tif 000009
【図８】
2008119116.tif 000010
【図９】
2008119116.tif 000011